(57)【要約】【課題】杖型伸縮杆をスーツケースと結合してスーツケースのハンドルとして使用したり、スーツケースから分離して単独で杖として使用したりすることができる着脱自在杖型伸縮杆を有するスーツケースを提供する。【解決手段】着脱自在杖型伸縮杆を有するスーツケースは、スーツケース本体１００、締付け・リリース部材２００及び杖型伸縮杆３００を備える。スーツケース本体１００は、収納槽１１０及び凹口１２０を有する。凹口１２０は、スーツケース本体１００の頂部に形成されて収納槽１１０と連通する。締付け・リリース部材２００は、収納槽１１０中に固定される。杖型伸縮杆３００は、伸縮杆体３１０及びハンドル３２０を有する。伸縮杆体３１０は、収納槽１１０中に収納されて締付け・リリース部材２００に挿設され、ハンドル３２０が伸縮杆体３１０の端部に接続されるとともに、凹口１２０に設置される。【選択図】図１
2017051412.tif 000002
【特許請求の範囲】
【請求項１】
スーツケース本体、締付け・リリース部材及び杖型伸縮杆を備えた着脱自在杖型伸縮杆を有するスーツケースであって、
前記スーツケース本体は、収納槽及び凹口を有し、前記凹口は、前記スーツケース本体の頂部に形成されて前記収納槽と連通し、
前記締付け・リリース部材は、前記収納槽中に固定され、
前記杖型伸縮杆は、伸縮杆体及びハンドルを有し、前記伸縮杆体は、前記収納槽中に収納されて前記締付け・リリース部材に挿設され、前記ハンドルが前記伸縮杆体の端部に接続されるとともに、前記凹口に設置されることを特徴とする着脱自在杖型伸縮杆を有するスーツケース。
【請求項２】
前記スーツケース本体は、第１の係合部を有し、
前記第１の係合部は、前記収納槽の槽底に位置し、
前記伸縮杆体の側部には、前記第１の係合部に対応する第２の係合部が突設されることを特徴とする請求項１に記載の着脱自在杖型伸縮杆を有するスーツケース。
【請求項３】
前記スーツケース本体は、凹部を有し、
前記凹部は、前記スーツケース本体の底部に近設され、
前記伸縮杆体の他方の端部には、凹部が設けられていることを特徴とする請求項１に記載の着脱自在杖型伸縮杆を有するスーツケース。
【請求項４】
前記収納槽の槽底は、前記スーツケース本体内に向かって傾斜していることを特徴とする請求項１に記載の着脱自在杖型伸縮杆を有するスーツケース。
【請求項５】
前記締付け・リリース部材は、ホルダー及び掛止部を有し、
前記ホルダーは、ホルダー本体、イジェクトばね、イジェクト部材、右挟持部材、左挟持部材、右押ボタン及び左押ボタンを有し、
前記ホルダー本体は、前記収納槽の槽底に固定されるとともに、頂板に設けられた貫通孔を有し、
前記イジェクトばねは、挟持本体内に収納されるとともに、前記ホルダー本体の底板に当接され、
前記イジェクト部材は、前記イジェクトばねに嵌合されるとともに、前記貫通孔に挿設され、
前記右挟持部材は、前記ホルダー本体の右側に摺動自在に設けられ、右ばねを介して前記ホルダー本体の右側壁に当接され、
前記左挟持部材は、前記ホルダー本体の左側に摺動自在に設けられ、左ばねを介して前記ホルダー本体の左側壁に当接され、前記伸縮杆体が前記右挟持部材と前記左挟持部材との間に挟持され、前記掛止部は、前記右挟持部材及び前記左挟持部材に係合され、
前記右押ボタンは、右押動端及び右押圧端を有し、前記右押動端は、前記左挟持部材に隣接し、前記右押圧端は、前記ホルダー本体の右側に位置し、
前記左押ボタンは、左押動端及び左押圧端を有し、前記左押動端は、前記右挟持部材に隣接し、前記左押圧端は、前記ホルダー本体の左側に位置することを特徴とする請求項１に記載の着脱自在杖型伸縮杆を有するスーツケース。
【請求項６】
前記ホルダーは、前記右挟持部材の内側面に設けた右ゴムパッドと、前記左挟持部材の内側面に設けた左ゴムパッドと、を有し、
前記伸縮杆体は、前記右ゴムパッドと前記左ゴムパッドとの間に挟持されることを特徴とする請求項５に記載の着脱自在杖型伸縮杆を有するスーツケース。
【請求項７】
前記掛止部は、前記右挟持部材及び前記左挟持部材の何れか一方に枢着される枢着部を一側に有し、バンプに係合可能な係合部を他側に有し、
前記バンプは、前記右挟持部材及び前記左挟持部材の何れか他方に設けられることを特徴とする請求項５に記載の着脱自在杖型伸縮杆を有するスーツケース。
【請求項８】
前記掛止部は、底面に設けられた上ゴムパッドを有することを特徴とする請求項７に記載の着脱自在杖型伸縮杆を有するスーツケース。
【請求項９】
前記伸縮杆体は、可動自在に互いに嵌着された複数のスリーブにより構成され、
前記ハンドルは、上端に設けられた前記スリーブに接続されることを特徴とする請求項１に記載の着脱自在杖型伸縮杆を有するスーツケース。
【請求項１０】
前記伸縮杆体は、レバーと、少なくとも１つの弾性掛止体と、を有し、
前記レバーは、前記スリーブの上端に可動自在に設けられ、
前記スリーブは、少なくとも１つの掛止孔をそれぞれ有し、
前記レバーは、前記弾性掛止体を駆動し、
前記弾性掛止体は、前記掛止孔に着脱自在に係合され、前記伸縮杆体の伸縮を行うことを特徴とする請求項１〜９の何れか１項に記載の着脱自在杖型伸縮杆を有するスーツケース。
【発明の詳細な説明】
【技術分野】
【０００１】
本発明は、スーツケースに関し、特に、杖型伸縮杆をスーツケースから分離して単独でも使用することもできる、着脱自在杖型伸縮杆を有するスーツケースに関する。
【背景技術】
【０００２】
近年、旅行の人気が高まっており、旅行をする人が増えるに従い、スーツケースに対するニーズも大幅に高まっている。
【０００３】
従来、旅行の際にはスーツケースを１つだけ使用するのが一般的であるが、例えば、登山客、身体が不自由な人など、杖を携行する必要がある者は、スーツケース以外に杖を別途携行しなければならず、歩く際不便であった。また、杖をスーツケース内へ収納した場合、スーツケース内の空間が無駄に占有されるため不便であった。
【０００４】
そのため、杖とスーツケースとを結合する技術が求められていた。
【発明の概要】
【発明が解決しようとする課題】
【０００５】
本発明の目的は、従来技術の問題点を改善するために、杖型伸縮杆をスーツケースから分離して単独で使用することもできる、着脱自在杖型伸縮杆を有するスーツケースを提供することにある。
【課題を解決するための手段】
【０００６】
上記課題を解決するために、本発明の第１の形態によれば、スーツケース本体、締付け・リリース部材及び杖型伸縮杆を備えた着脱自在杖型伸縮杆を有するスーツケースであって、前記スーツケース本体は、収納槽及び凹口を有し、前記凹口は、前記スーツケース本体の頂部に形成されて前記収納槽と連通し、前記締付け・リリース部材は、前記収納槽中に固定され、前記杖型伸縮杆は、伸縮杆体及びハンドルを有し、前記伸縮杆体は、前記収納槽中に収納されて前記締付け・リリース部材に挿設され、前記ハンドルが前記伸縮杆体の端部に接続されるとともに、前記凹口に設置されることを特徴とする着脱自在杖型伸縮杆を有するスーツケースが提供される。
【０００７】
前記スーツケース本体は、第１の係合部を有し、前記第１の係合部は、前記収納槽の槽底に位置し、前記伸縮杆体の側部には、前記第１の係合部に対応する第２の係合部が突設されることが好ましい。
【０００８】
前記スーツケース本体は、凹部を有し、前記凹部は、前記スーツケース本体の底部に近設され、前記伸縮杆体の他方の端部には、凹部が設けられていることが好ましい。
【０００９】
前記収納槽の槽底は、前記スーツケース本体内に向かって傾斜していることが好ましい。
【００１０】
前記締付け・リリース部材は、ホルダー及び掛止部を有し、前記ホルダーは、ホルダー本体、イジェクトばね、イジェクト部材、右挟持部材、左挟持部材、右押ボタン及び左押ボタンを有し、前記ホルダー本体は、前記収納槽の槽底に固定されるとともに、頂板に設けられた貫通孔を有し、前記イジェクトばねは、挟持本体内に収納されるとともに、前記ホルダー本体の底板に当接され、前記イジェクト部材は、前記イジェクトばねに嵌合されるとともに、前記貫通孔に挿設され、前記右挟持部材は、前記ホルダー本体の右側に摺動自在に設けられ、右ばねを介して前記ホルダー本体の右側壁に当接され、前記左挟持部材は、前記ホルダー本体の左側に摺動自在に設けられ、左ばねを介して前記ホルダー本体の左側壁に当接され、前記伸縮杆体が前記右挟持部材と前記左挟持部材との間に挟持され、前記掛止部は、前記右挟持部材及び前記左挟持部材に係合され、前記右押ボタンは、右押動端及び右押圧端を有し、前記右押動端は、前記左挟持部材に隣接し、前記右押圧端は、前記ホルダー本体の右側に位置し、前記左押ボタンは、左押動端及び左押圧端を有し、前記左押動端は、前記右挟持部材に隣接し、前記左押圧端は、前記ホルダー本体の左側に位置することが好ましい。
【００１１】
前記ホルダーは、前記右挟持部材の内側面に設けた右ゴムパッドと、前記左挟持部材の内側面に設けた左ゴムパッドと、を有し、前記伸縮杆体は、前記右ゴムパッドと前記左ゴムパッドとの間に挟持されることが好ましい。
【００１２】
前記掛止部は、前記右挟持部材及び前記左挟持部材の何れか一方に枢着される枢着部を一側に有し、バンプに係合可能な係合部を他側に有し、前記バンプは、前記右挟持部材及び前記左挟持部材の何れか他方に設けられることが好ましい。
【００１３】
前記掛止部は、底面に設けられた上ゴムパッドを有することが好ましい。
【００１４】
前記伸縮杆体は、可動自在に互いに嵌着された複数のスリーブにより構成され、前記ハンドルは、上端に設けられた前記スリーブに接続されることが好ましい。
【００１５】
前記伸縮杆体は、レバーと、少なくとも１つの弾性掛止体と、を有し、前記レバーは、前記スリーブの上端に可動自在に設けられ、前記スリーブは、少なくとも１つの掛止孔をそれぞれ有し、前記レバーは、前記弾性掛止体を駆動し、前記弾性掛止体は、前記掛止孔に着脱自在に係合され、前記伸縮杆体の伸縮を行うことが好ましい。
【発明の効果】
【００１６】
本発明の着脱自在杖型伸縮杆を有するスーツケースは、スーツケース本体の収納槽、杖型伸縮杆及び締付け・リリース部材により、ユーザの必要に応じて杖型伸縮杆をスーツケースと結合してスーツケースのハンドルとして使用したり、スーツケースから分離して単独で杖として使用したりすることができる。
【図面の簡単な説明】
【００１７】
【図１】図１は、本発明の一実施形態に係る着脱自在杖型伸縮杆を有するスーツケースを示す分解斜視図である。
【図２】図２は、本発明の一実施形態に係る着脱自在杖型伸縮杆を有するスーツケースを示す斜視図である。
【図３】図３は、本発明の一実施形態に係る着脱自在杖型伸縮杆を有するスーツケースを示す断面図である。
【図４】図４は、本発明の一実施形態に係る着脱自在杖型伸縮杆を有するスーツケースの締付け・リリース部材を示す分解斜視図である。
【図５】図５は、本発明の一実施形態に係る着脱自在杖型伸縮杆を有するスーツケースの締付け・リリース部材のホルダー及び掛止部がリリース状態にあるときの斜視図である。
【図６】図６は、本発明の一実施形態に係る着脱自在杖型伸縮杆を有するスーツケースの締付け・リリース部材のホルダー及び掛止部が締付け状態にあるときの斜視図である。
【図７】図７は、本発明の一実施形態に係る着脱自在杖型伸縮杆を有するスーツケースの杖型伸縮杆を縮めた状態を示す模式図である。
【図８】図８は、本発明の一実施形態に係る着脱自在杖型伸縮杆を有するスーツケースの杖型伸縮杆を伸ばした状態を示す模式図である。
【発明を実施するための形態】
【００１８】
以下、本発明の実施形態について図に基づいて説明する。なお、これによって本発明が限定されるものではない。
【００１９】
図１〜図３を参照する。図１は、本発明の一実施形態に係る着脱自在杖型伸縮杆を有するスーツケースを示す分解斜視図である。図２は、本発明の一実施形態に係る着脱自在杖型伸縮杆を有するスーツケースを示す斜視図である。図３は、本発明の一実施形態に係る着脱自在杖型伸縮杆を有するスーツケースを示す断面図である。
【００２０】
図１〜図３に示すように、本発明の一実施形態に係る着脱自在杖型伸縮杆を有するスーツケース１は、スーツケース本体１００、締付け・リリース部材２００及び杖型伸縮杆３００を含む。
【００２１】
スーツケース本体１００は、収納槽１１０及び凹口１２０を有する。収納槽１１０は、スーツケース本体１００のカバーに凹設される。凹口１２０は、スーツケース本体１００の頂部に形成されるとともに、収納槽１１０と連通する。スーツケース本体１００は、凹部１４０を有する。凹部１４０は、スーツケース本体１００の底部に近設される。本実施形態の収納槽１１０の槽底１１１は、スーツケース本体１００内に向かって傾斜されてもよい。本実施形態の槽底１１１は、鉛直線に対して約１０〜１５度傾いているが、これだけに限定されるわけではない。
【００２２】
締付け・リリース部材２００は、螺着方式又は接着方式により収納槽１１０中に固定されるが、勿論これだけに限定されるわけではない。
【００２３】
杖型伸縮杆３００は、伸縮杆体３１０及びハンドル３２０を有する。伸縮杆体３１０は、収納槽１１０中に着脱自在に収納され、締付け・リリース部材２００に挿設される。ハンドル３２０は、伸縮杆体３１０の端部に接続されるとともに、凹口１２０に設置される。伸縮杆体３１０は、収納槽１１０中に収納されて伸縮杆体３１０の他端がスーツケース本体１００の凹部１４０に着脱自在に挿設される。また、杖型伸縮杆３００の伸縮杆体３１０が可動自在に互いに嵌着された複数のスリーブ３１１により構成されているため、杖型伸縮杆３００の伸縮杆体３１０は伸縮可能である。
【００２４】
また、杖型伸縮杆３００の伸縮杆体３１０とスーツケース本体１００の収納槽１１０とは、互いに対応する係合構造を介して一時的に結合される。例えば、スーツケース本体１００は、第１の係合部１３０（例えば凸柱）を有する。第１の係合部１３０は、収納槽１１０の槽底１１１に位置するが、凹部１４０に位置することが好ましい。伸縮杆体３１０の側部には、第１の係合部１３０に対応する第２の係合部３１５（例えば凹溝）が突設されているが、係合構造はこれだけに限定されるわけではなく、杖型伸縮杆３００の伸縮杆体３１０とスーツケース本体１００の収納槽１１０とを一時的に係合することが可能な構造である限り、本発明の範囲に含まれる。
【００２５】
上述した部材の構造及び配置に基づき、杖型伸縮杆３００は、締付け・リリース部材２００を介してスーツケース本体１００の収納槽１１０内に強固に締付けられるとともに、伸縮杆体３１０と収納槽１１０との間の対応した係合構造（即ち第１の係合部１３０及び第２の係合部３１５）により、杖型伸縮杆３００はスーツケース本体１００と結合される。杖型伸縮杆３００をスーツケース本体１００から分離するときは、締付け・リリース部材２００の掛止部２２０及びホルダー２１０を開いて杖型伸縮杆３００をスーツケース本体１００から取り出す。
【００２６】
図４〜図６を参照する。図４は、本発明の一実施形態に係る着脱自在杖型伸縮杆を有するスーツケースの締付け・リリース部材を示す分解斜視図である。図５は、本発明の一実施形態に係る着脱自在杖型伸縮杆を有するスーツケースの締付け・リリース部材のホルダー及び掛止部がリリース状態にあるときの斜視図である。図６は、本発明の一実施形態に係る着脱自在杖型伸縮杆を有するスーツケースの締付け・リリース部材のホルダー及び掛止部が締付け状態にあるときの斜視図である。
【００２７】
図４〜図６に示すように、本発明の一実施形態に係る着脱自在杖型伸縮杆を有するスーツケースのホルダー２１０は、ホルダー本体２１１、イジェクトばね２１２、イジェクト部材２１３、右挟持部材２１４Ｒ、左挟持部材２１４Ｌ、右ばね２１５Ｒ、左ばね２１５Ｌ、右押ボタン２１６Ｒ及び左押ボタン２１６Ｌを含む。
【００２８】
ホルダー本体２１１は、螺着方式又は接着方式により収納槽１１０の槽底１１１に固定されるが、勿論これだけに限定されるわけではない。また、ホルダー本体２１１は、頂板２１１Ｔと底板２１１Ｂとの結合により構成される。頂板２１１Ｔは、貫通孔Ｈを有する。
【００２９】
イジェクトばね２１２は、ホルダー本体２１１内に収納され、ホルダー本体２１１の底板２１１Ｂに当接される。イジェクトばね２１２は、頂板２１１Ｔの貫通孔Ｈから突き出る。
【００３０】
イジェクト部材２１３は、イジェクトばね２１２に嵌合されて貫通孔Ｈに挿通され、イジェクトばね２１２の弾力により往復運動を行う。また、イジェクト部材２１３には、突出構造２１３Ｐが周設され、突出構造２１３Ｐのサイズが貫通孔Ｈのサイズより大きいため、イジェクト部材２１３がイジェクトばね２１２に当接されると、イジェクト部材２１３の突出構造２１３Ｐが貫通孔Ｈに係合され、イジェクト部材２１３がホルダー本体２１１から外れることを防ぐ。
【００３１】
右挟持部材２１４Ｒは、ホルダー本体２１１の右側に摺動自在に設けられる。さらに詳細には、右挟持部材２１４Ｒは、凹溝構造を有する。凹溝構造は、ホルダー本体２１１の頂板２１１Ｔの右側に可動自在に係合され、右挟持部材２１４Ｒはホルダー本体２１１の右側で自在に摺動する。右挟持部材２１４Ｒは、その内部に設けられた右ばね２１５Ｒがホルダー本体２１１の右側壁に発生させる弾力により、ホルダー本体２１１の中央部へ向かって移動される。
【００３２】
左挟持部材２１４Ｌは、ホルダー本体２１１の左側に摺動自在に設けられる。さらに詳細には、左挟持部材２１４Ｌは、凹溝構造を有する。凹溝構造は、ホルダー本体２１１の頂板２１１Ｔの左側に可動自在に係合され、左挟持部材２１４Ｌはホルダー本体２１１の左側で自在に摺動する。左挟持部材２１４Ｌは、その内部に設けられた左ばね２１５Ｌがホルダー本体２１１の左側壁に発生させる弾力により、ホルダー本体２１１の中央部へ向かって移動される。
【００３３】
右挟持部材２１４Ｒと左挟持部材２１４Ｌとは、右ばね２１５Ｒ及び左ばね２１５Ｌにより互いに近づけられるため、伸縮杆体３１０が右挟持部材２１４Ｒと左挟持部材２１４Ｌとの間に挟持される。
【００３４】
右押ボタン２１６Ｒは、右押動端２１６Ｒａ及び右押圧端２１６Ｒｂを有する。右押動端２１６Ｒａは、左挟持部材２１４Ｌに隣接する。右押圧端２１６Ｒｂは、ホルダー本体２１１の右側に位置する。ホルダー本体２１１に対して右側から左側へ力を加えて右押圧端２１６Ｒｂを押圧すると、それに伴って右押動端２１６Ｒａが左方へ移動して左挟持部材２１４Ｌを押圧し、左挟持部材２１４Ｌがホルダー本体２１１の中央部から離れる方向へ移動される。
【００３５】
左押ボタン２１６Ｌは、左押動端２１６Ｌａ及び左押圧端２１６Ｌｂを有する。左押動端２１６Ｌａは、右挟持部材２１４Ｒに隣接する。左押圧端２１６Ｌｂは、ホルダー本体２１１の左側に位置する。ホルダー本体２１１に対して左側から右側へ力を加えて左押圧端２１６Ｌｂを押圧すると、それに伴って左押動端２１６Ｌａが右方向へ移動して右挟持部材２１４Ｒを押圧し、右挟持部材２１４Ｒがホルダー本体２１１の中央部から離れる方向へ移動される。
【００３６】
そのため、右押ボタン２１６Ｒ及び左押ボタン２１６Ｌを同時に押圧し、右挟持部材２１４Ｒ及び左挟持部材２１４Ｌが共にホルダー本体２１１の中央部から離れる方向へ移動した状態をホルダー２１０のリリース状態と称する。反対に、右押ボタン２１６Ｒ及び左押ボタン２１６Ｌに力が加えられずに、右挟持部材２１４Ｒ及び左挟持部材２１４Ｌがホルダー本体２１１の中央部へ向かって移動した状態をホルダー２１０の締付け状態と称する。
【００３７】
ホルダー２１０は、右ゴムパッド２１７Ｒ及び左ゴムパッド２１７Ｌを含む。右ゴムパッド２１７Ｒは、右挟持部材２１４Ｒの内側面に配設される。左ゴムパッド２１７Ｌは、左挟持部材２１４Ｌの内側面に配設される。この構成により、ホルダー２１０と、ホルダー２１０中に挟持された杖型伸縮杆３００の伸縮杆体３１０との間の摩擦力が高まり、ホルダー２１０中に挟持された杖型伸縮杆３００の伸縮杆体３１０が摺動することを防ぐ。
【００３８】
掛止部２２０は、枢着部２２１及び係合部２２２を含む。
【００３９】
枢着部２２１は、掛止部２２０の一側に設けられるとともに、枢軸を介して右挟持部材２１４Ｒ又は左挟持部材２１４Ｌに枢着される。係合部２２２は、枢着部２２１と対となる側部に設けられるとともに、バンプ２２３と着脱自在に係合される。バンプ２２３は、右挟持部材２１４Ｒ及び左挟持部材２１４Ｌの何れか１つに配設されてもよい。本実施形態の枢着部２２１は、左挟持部材２１４Ｌに枢着される。バンプ２２３は、右挟持部材２１４Ｒに設けられる。掛止部２２０の係合部２２２は、右挟持部材２１４Ｒに設けられたバンプ２２３に係合される。
【００４０】
そのため、掛止部２２０の係合部２２２が、右挟持部材２１４Ｒに設けられたバンプ２２３に係合されていないとき、掛止部２２０はリリース状態である。反対に、掛止部２２０の係合部２２２が、右挟持部材２１４Ｒ上に設けられたバンプ２２３に係合されているとき（即ち、掛止部２２０が右挟持部材２１４Ｒ及び左挟持部材２１４Ｌに係合されたとき）、掛止部２２０は締付け状態である。
【００４１】
また、掛止部２２０は、上ゴムパッド２２４を有する。上ゴムパッド２２４が掛止部２２０の底面に配設されているため、掛止部２２０と、掛止部２２０中に挟持された杖型伸縮杆３００の伸縮杆体３１０との間に生じる摩擦力が高まり、杖型伸縮杆３００の伸縮杆体３１０は掛止部２２０中に固定されて摺動することを防ぐ。
【００４２】
図７及び図８を参照する。図７は、本発明の一実施形態に係る着脱自在杖型伸縮杆を有するスーツケースの杖型伸縮杆を縮めた状態を示す模式図である。図８は、本発明の一実施形態に係る着脱自在杖型伸縮杆を有するスーツケースの杖型伸縮杆を伸ばした状態を示す模式図である。
【００４３】
図７及び図８に示すように、本実施形態の杖型伸縮杆３００の伸縮杆体３１０は、レバー３１２と、少なくとも１つの弾性掛止体３１３と、を有する。レバー３１２は、可動自在に設けられたスリーブ３１１を上端に有する。これら複数のスリーブ３１１は、掛止孔３１４をそれぞれ有する。レバー３１２は、連動杆（図示せず）を介して弾性掛止体３１３を駆動させる。レバー３１２を操作して、弾性掛止体３１３を掛止孔３１４に着脱自在に係合し、伸縮杆体３１０を伸縮させることができる。また、本実施形態の弾性掛止体３１３の数は２個以上でもよく、垂直方向で異なる位置にある弾性掛止体３１３を掛止孔３１４に係合させると、伸縮杆体３１０の伸縮長さを変えることができる。このように、伸縮杆体３１０の伸縮長さを変化させる範囲が広いため、ユーザは身長の高低に関わらず誰でも使用することができる。
【００４４】
以下、杖型伸縮杆３００とスーツケース本体１００との結合及び分離について説明する。
【００４５】
まず、杖型伸縮杆３００の伸縮杆体３１０の第２の係合部３１５をスーツケース本体１００の第１の係合部１３０に位置合わせすると、伸縮杆体３１０が収納槽１１０中に収納され、伸縮杆体３１０の他端がスーツケース本体１００の凹部１４０に設置され、伸縮杆体３１０の第２の係合部３１５がスーツケース本体１００の第１の係合部１３０に係合される。締付け・リリース部材２００の掛止部２２０を開くときは、締付け・リリース部材２００のホルダー２１０に力を加えてホルダー２１０と掛止部２２０とをリリース状態にし、伸縮杆体３１０がホルダー２１０に一時的に係合された状態にする。伸縮杆体３１０がホルダー２１０に一時的に係合された状態のときに力を加えることを止めると、ホルダー２１０は締付け状態に回復する。最終的に、掛止部２２０の係合部２２２が右挟持部材２１４Ｒのバンプ２２３に再び係合されると、杖型伸縮杆３００がスーツケース本体１００に結合される。反対に、杖型伸縮杆３００とスーツケース本体１００とを分離するときは、上述のステップを逆に行うだけでよい。
【００４６】
実際に使用する際、収納槽１１０中に杖型伸縮杆３００の伸縮杆体３１０が収納されると、収納槽１１０の槽底１１１がスーツケース本体１００内に向かって傾斜されているため、杖型伸縮杆３００の伸縮杆体３１０が延ばされると、ハンドル３２０がスーツケース本体１００の略中央部上方に位置するため、ユーザがハンドル３２０に寄り掛かるときに、ハンドル３２０に下向きの力が生じ、力が加わる方向の延長線がスーツケース本体１００の中央部を通るため、着脱自在杖型伸縮杆を有するスーツケース１の杖型伸縮杆３００のハンドル３２０にユーザが寄り掛かっても容易に傾くことはない。そのため、ユーザは、杖型伸縮杆３００のハンドル３２０に寄り掛かって休憩することもできる。
【００４７】
また、着脱自在杖型伸縮杆を有するスーツケース１を引っ張って持ち運ぶ際、杖型伸縮杆３００が締付け・リリース部材２００と、それに対応した係合構造（即ち、第１の係合部１３０及び第２の係合部３１５）とを介し、スーツケース本体１００と強固に結合されているため、杖型伸縮杆３００はスーツケース本体１００から容易に外れることはない。
【００４８】
例えば、登山客、身体が不自由な人など杖を携行する必要がある者が旅行する際、本実施形態に係る着脱自在杖型伸縮杆を有するスーツケース１を使用すると、必要に応じて杖型伸縮杆３００をスーツケース本体１００に結合して使用したり、杖型伸縮杆３００をスーツケース本体１００から分離して使用したりすることができる。例えば、スーツケースを引っ張って持ち運ぶときには、杖型伸縮杆３００をスーツケース本体１００に結合すると、スーツケース本体１００を容易に引っ張って運搬することができる。杖を単独で使用するときには、スーツケース本体１００から杖型伸縮杆３００を外し、杖型伸縮杆３００を単独で杖として使用することもできるため、杖を携行する必要がある者が旅行する際、非常に便利である。
【００４９】
上述したことから分かるように、本発明の着脱自在杖型伸縮杆を有するスーツケースは、スーツケース本体の収納槽、杖型伸縮杆及び締付け・リリース部材を介し、ユーザの必要に応じて杖型伸縮杆をスーツケースに結合してスーツケースのレバーとして用いるか、スーツケースから外して単独で杖として使用することができる上、収納槽の槽底表面を傾斜面に形成することにより、ユーザは杖型伸縮杆のハンドルに寄り掛かって休息することができる。
【００５０】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５１】
１  着脱自在杖型伸縮杆を有するスーツケース
１００  スーツケース本体
１１０  収納槽
１１１  槽底
１２０  凹口
１３０  第１の係合部
１４０  凹部
２００  締付け・リリース部材
２１０  ホルダー
２１１  ホルダー本体
２１１Ｂ  底板
２１１Ｔ  頂板
２１２  イジェクトばね
２１３  イジェクト部材
２１３Ｐ  突出構造
２１４Ｒ  右挟持部材
２１４Ｌ  左挟持部材
２１５Ｒ  右ばね
２１５Ｌ  左ばね
２１６Ｒ  右押ボタン
２１６Ｒａ  右押動端
２１６Ｒｂ  右押圧端
２１６Ｌ  左押ボタン
２１６Ｌｂ  左押圧端
２１７Ｒ  右ゴムパッド
２１７Ｌ  左ゴムパッド
２２０  掛止部
２２１  枢着部
２２２  係合部
２２３  バンプ
２２４  上ゴムパッド
３００  杖型伸縮杆
３１０  伸縮杆体
３１１  スリーブ
３１２  レバー
３１３  弾性掛止体
３１４  掛止孔
３１５  第２の係合部
３２０  ハンドル
Ｈ  貫通孔
【図１】
2017051412.tif 000003
【図２】
2017051412.tif 000004
【図３】
2017051412.tif 000005
【図４】
2017051412.tif 000006
【図５】
2017051412.tif 000007
【図６】
2017051412.tif 000008
【図７】
2017051412.tif 000009
【図８】
2017051412.tif 000010
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
スーツケース本体、締付け・リリース部材及び杖型伸縮杆を備えた着脱自在杖型伸縮杆を有するスーツケースであって、
前記スーツケース本体は、収納槽及び凹口を有し、前記凹口は、前記スーツケース本体の頂部に形成されて前記収納槽と連通し、
前記締付け・リリース部材は、前記収納槽中に固定され、
前記杖型伸縮杆は、伸縮杆体及びハンドルを有し、前記伸縮杆体は、前記収納槽中に収納されて前記締付け・リリース部材に挿設され、前記ハンドルが前記伸縮杆体の端部に接続されるとともに、前記凹口に設置されることを特徴とする着脱自在杖型伸縮杆を有するスーツケース。
【請求項２】
前記収納槽の槽底は、前記スーツケース本体内に向かって傾斜していることを特徴とする請求項１に記載の着脱自在杖型伸縮杆を有するスーツケース。
【請求項３】
前記締付け・リリース部材は、ホルダー及び掛止部を有し、
前記ホルダーは、ホルダー本体、イジェクトばね、イジェクト部材、右挟持部材、左挟持部材、右押ボタン及び左押ボタンを有し、
前記ホルダー本体は、前記収納槽の槽底に固定されるとともに、頂板に設けられた貫通孔を有し、
前記イジェクトばねは、挟持本体内に収納されるとともに、前記ホルダー本体の底板に当接され、
前記イジェクト部材は、前記イジェクトばねに嵌合されるとともに、前記貫通孔に挿設され、
前記右挟持部材は、前記ホルダー本体の右側に摺動自在に設けられ、右ばねを介して前記ホルダー本体の右側壁に当接され、
前記左挟持部材は、前記ホルダー本体の左側に摺動自在に設けられ、左ばねを介して前記ホルダー本体の左側壁に当接され、前記伸縮杆体が前記右挟持部材と前記左挟持部材との間に挟持され、前記掛止部は、前記右挟持部材及び前記左挟持部材に係合され、
前記右押ボタンは、右押動端及び右押圧端を有し、前記右押動端は、前記左挟持部材に隣接し、前記右押圧端は、前記ホルダー本体の右側に位置し、
前記左押ボタンは、左押動端及び左押圧端を有し、前記左押動端は、前記右挟持部材に隣接し、前記左押圧端は、前記ホルダー本体の左側に位置し、
前記ホルダーは、前記右挟持部材の内側面に設けた右ゴムパッドと、前記左挟持部材の内側面に設けた左ゴムパッドと、を有し、
前記伸縮杆体は、前記右ゴムパッドと前記左ゴムパッドとの間に挟持されることを特徴とする請求項１に記載の着脱自在杖型伸縮杆を有するスーツケース。
【請求項４】
前記締付け・リリース部材は、ホルダー及び掛止部を有し、
前記ホルダーは、ホルダー本体、イジェクトばね、イジェクト部材、右挟持部材、左挟持部材、右押ボタン及び左押ボタンを有し、
前記ホルダー本体は、前記収納槽の槽底に固定されるとともに、頂板に設けられた貫通孔を有し、
前記イジェクトばねは、挟持本体内に収納されるとともに、前記ホルダー本体の底板に当接され、
前記イジェクト部材は、前記イジェクトばねに嵌合されるとともに、前記貫通孔に挿設され、
前記右挟持部材は、前記ホルダー本体の右側に摺動自在に設けられ、右ばねを介して前記ホルダー本体の右側壁に当接され、
前記左挟持部材は、前記ホルダー本体の左側に摺動自在に設けられ、左ばねを介して前記ホルダー本体の左側壁に当接され、前記伸縮杆体が前記右挟持部材と前記左挟持部材との間に挟持され、前記掛止部は、前記右挟持部材及び前記左挟持部材に係合され、
前記右押ボタンは、右押動端及び右押圧端を有し、前記右押動端は、前記左挟持部材に隣接し、前記右押圧端は、前記ホルダー本体の右側に位置し、
前記左押ボタンは、左押動端及び左押圧端を有し、前記左押動端は、前記右挟持部材に隣接し、前記左押圧端は、前記ホルダー本体の左側に位置し、
前記掛止部は、前記右挟持部材及び前記左挟持部材の何れか一方に枢着される枢着部を一側に有し、バンプに係合可能な係合部を他側に有し、
前記バンプは、前記右挟持部材及び前記左挟持部材の何れか他方に設けられることを特徴とする請求項１に記載の着脱自在杖型伸縮杆を有するスーツケース。
【請求項５】
前記掛止部は、底面に設けられた上ゴムパッドを有することを特徴とする請求項４に記載の着脱自在杖型伸縮杆を有するスーツケース。
【請求項６】
前記伸縮杆体は、可動自在に互いに嵌着された複数のスリーブにより構成され、
前記ハンドルは、上端に設けられた前記スリーブに接続されることを特徴とする請求項１に記載の着脱自在杖型伸縮杆を有するスーツケース。